(57)【要約】  【課題】  眼球に対して、互いに異なる発光波長帯域の光を順次照射する場合において、時間をかけずに瞳孔径を一定にする。  【解決手段】  眼球に対して互いに異なる発光波長帯域の光源を複数備える複数光源１０６と、光源の点灯及び消灯を制御して順次光源を切り替える光源切替手段１０５と、前記光源各々の電流を制御する光源電流制御手段１０４と、光源切替手段１０５が点灯中の光源を切り替えた際に瞳孔径が一定となるように光源の電流値を光源電流制御手段１０４に出力する瞳孔径調節 手段１０１とを備え、瞳孔径調節手段１０１は照度が一定となるように各光源の電流を選択して出力することにより、光源切替手段１０５が順次光源を切り替えた場合においても瞳孔径を一定にすることができる。【選択図】  図１
2006223516.tif 000002
【特許請求の範囲】
【請求項１】
眼球に対して互いに異なる発光波長帯域の可視光を順次照射し、そのときの眼球を観察する眼球観察装置であって、
眼球に対して互いに異なる発光波長帯域の可視光を照射する複数の光源と、
前記光源の点灯及び消灯を制御し、順次前記光源の照射を切り替える光源切替手段と、
前記光源各々を駆動する電流を制御する光源電流制御手段と、
前記光源切替手段が点灯中の前記光源を他の光源に切り替えた際に瞳孔径が一定となる前記他の光源の電流値を、前記光源電流制御手段に出力する瞳孔径調節手段と、
を備えたことを特徴とする眼球観察装置。
【請求項２】
前記瞳孔径調節手段は、
前記各々の光源を駆動する電流値と、眼球の前面位置における照度との関係を予め記憶しておく光源テーブルと、
前記光源を切り替えた際に照度が一定となる前記光源各々の電流値を前記光源テーブルに基づき選択し、前記光源電流制御手段に出力する光源電流設定手段と、
を備えたことを特徴とする請求項１に記載の眼球観察装置。
【請求項３】
眼球を撮像し、撮像で得た撮像データを出力する撮像手段と、
前記撮像データから瞳孔径を算出する瞳孔径算出手段と、
所望の瞳孔径と前記瞳孔径算出手段が算出する瞳孔径の差分を出力する瞳孔径比較手段と、
前記瞳孔径比較手段の出力が所望の値となるように電流値を前記光源電流制御手段に出力し、前記瞳孔径比較手段の出力が前記所望の値になるとその時点の前記光源電流制御手段に出力した電流値を出力するフィードバック光源電流設定手段と、
前記所望の値になった時点で前記フィードバック光源電流設定手段が出力した電流値に対応する照度を、前記光源テーブルから選択し、前記光源電流設定手段に出力する電流照度変換手段と、
を更に備え、
前記電流照度変換手段が照度を前記光源電流制御手段に出力した後に、前記光源切替手段が前記光源を順次切り替えて、眼球を観察すること
を特徴とする請求項２に記載の眼球観察装置。
【請求項４】
前記光源電流設定手段は、前記光源テーブルから瞳孔径の縮小が飽和する照度以上の照度に対応する電流値を選択し、前記光源電流制御手段に出力することを特徴とした請求項２に記載の眼球観察装置。
【請求項５】
眼球を撮像し、撮像で得た撮像データを出力する撮像手段と、
前記撮像データから瞳孔径を算出する瞳孔径算出手段と、
前記光源を駆動する互いに異なる大きさの電流値を順次出力するキャリブレーション光源電流設定手段と、
を更に備え、
前記瞳孔径調節 手段は、
前記瞳孔径算出手段が算出した瞳孔径と、前記キャリブレーション光源電流制御手段が前記光源電流制御手段に出力した前記光源の電流値を対応付けて記憶するキャリブレーションテーブルと、
任意の瞳孔径に対する各前記光源の電流値を前記キャリブレーションテーブルに基づき選択し、前記光源電流制御手段に出力する光源電流設定手段と、
を備え、
予め被験者ごとに前記キャリブレーションテーブルを作成した後、前記光源切替手段が前記光源を順次切り替えた際に、任意の瞳孔径となるように前記光源各々の電流値を選択し、照射を行って眼球を観察すること、
を特徴とする請求項１に記載の眼球観察装置。
【請求項６】
所望の瞳孔径と前記瞳孔径算出手段が算出する瞳孔径の差分を出力する瞳孔径比較手段と、
前記瞳孔径比較手段の出力が所望の値となるように電流値を前記光源電流制御手段に出力し、前記瞳孔径比較手段の出力が所望の値になるとその時点の前記光源電流制御手段に出力した電流値を出力するフィードバック光源電流設定手段と、
前記所望の値になった時点で前記フィードバック光源電流設定手段が出力した電流値に対応する瞳孔径を、前記キャリブレーションテーブルから選択し、前記光源電流設定手段に出力する電流瞳孔径変換手段と、
を更に備え、
前記電流瞳孔径変換手段が瞳孔径を前記光源電流制御手段に出力した後に、前記光源切替手段が前記光源を順次切り替えて、眼球を観察すること
を特徴とする請求項５に記載の眼球観察装置。
【請求項７】
前記キャリブレーションテーブルから瞳孔径の縮小が飽和する瞳孔径を算出し、前記光源電流設定手段に出力する飽和瞳孔径算出手段と、
を更に備え、
前記光源電流設定手段は、前記飽和瞳孔径算出手段が出力した瞳孔径以下の任意の瞳孔径に対する各前記光源の電流値を前記キャリブレーションテーブルに基づき選択し、前記光源電流制御手段に出力すること、
を特徴とした請求項５に記載の眼球観察装置。
【請求項８】
前記光源切替手段は、前記光源電流設定手段が電流値を前記光源電流制御手段に出力した後に、前記光源の何れかを点灯しておき、その後前記光源を順次切り替えて、そのときの眼球を観察すること
を特徴とする請求項２及び請求項５に記載の眼球観察装置。
【請求項９】
眼球に対して互いに異なる発光波長帯域の不可視光を照射する１つ以上の不可視光源と、
前記不可視光源各々の電流を制御する不可視光源電流制御手段と、
前記不可視光源電流制御手段に任意の電流値を出力する不可視光源電流設定手段と、
を更に備え、
前記光源切替手段は、前記光源および前記不可視光源の点灯及び消灯を制御するとともに、前記光源を順次点灯した後に前記不可視光源を点灯すること
を特徴とした請求項２及び請求項５に記載の眼球観察装置。
【請求項１０】
前記光源切替手段は、前記光源を順次点灯した後、瞳孔の対光反射の潜時以内に、前記不可視光源を順次点灯し終えて、
眼球の観察を終えること
を特徴とした請求項９に記載の眼球観察装置。
【請求項１１】
前記光源切替手段は、前記光源を順次点灯した後、２００ミリ秒以内に、前記不可視光源を順次点灯し終えて、
眼球の観察を終えること
を特徴とした請求項１０に記載の眼球観察装置。
【請求項１２】
前記光源切替手段は前記光源の内何れか１つのみ点灯すること
を特徴とした請求項２及び請求項５に記載の眼球観察装置。
【請求項１３】
前記光源切替手段は、眼球を観察するための前記光源の切り替え時に全ての前記光源が消灯する時間（以下、切替消灯時間と称す）を眼球がちらつきを感じない時間以下にすること、
を特徴とした請求項２及び請求項５に記載の眼球観察装置。
【請求項１４】
前記切替消灯時間は、１７ミリ秒以下であること
を特徴とした請求項１３に記載の眼球観察装置。
【発明の詳細な説明】
【技術分野】
【０００１】
本発明は、眼球に対して互いに異なる発光波長帯域の光を順次照射し、眼球を観察する際に瞳孔径を一定にする技術に関する。
【背景技術】
【０００２】
従来、病院や診療所では注射器で採取した血液を高精度な血糖分析機器で測定したり、家庭や外出先では指先などを穿刺して採取した血液を携帯型簡易血糖計で測定したりして血糖値を求めている。いずれの方法においても、人体を傷付けるために苦痛を伴うため、血糖値の管理を行う上での精神的・肉体的障害となっている。また、感染症の危険や、血液の付着した廃棄物の処理についても配慮が必要である。
【０００３】
そこで様々な非侵襲的な血糖値測定方法が提案されている。測定手段としてはグルコースの旋光角、赤外光や可視光の吸光度や反射率のほか、電磁波や音波、電気的特性などを利用した方法が提案されている。測定部位は、腕や指や耳などの皮膚表面、眼球、爪、唾液などが提案されている。
【０００４】
特許文献１では、眼球に互いに異なる発光波長帯域の光を順次照射し、ＣＣＤなどの撮像手段によって撮像された各光照射時における眼球画像の虹彩部分から、血糖値の変化に相関のある生体特徴量を測定し、各光照射時における予め用意した血糖値と生体特徴量の相関表から血糖値を推定している。この時、生体特徴量を虹彩部分から算出するために、瞳孔径が変化してしまうと虹彩部分の画像が変化し、信頼性のある生体特徴量を求めることができない。従って、瞳孔径を極力一定にし、虹彩部分の画像の変化を小さくする必要がある。
【０００５】
一方、瞳孔径を一定にする技術として、特許文献２のような技術がある。特許文献２の図１では、撮像装置において、ファインダ画面を覗き込む撮影者の眼球に赤外光を照射し、眼球の反射光を光電素子列に入射させ、光電素子列の出力信号に基づき瞳孔判定回路において撮影者の瞳孔径を検出すると共に、瞳孔径が所定値よりも大きい時には制御回路がファインダ画面の明るさを大きくさせる制御信号を発し（逆に、瞳孔径が所定値よりも小さい時にはファインダ画面の明るさを低下させる制御信号を発し）ており、いわゆるフィードバック制御を行っている。
【０００６】
図２０に従来の非侵襲血糖測定装置のブロック図を示す。図２０において、複数光源１０６は異なる発光波長帯域の光源を複数備え、光源電流制御手段１０４は各光源の電流をフィードバック光源電流設定手段１１０３が出力する電流値に制御し、光源切替手段１０５は眼球に照射する光源を切り替える。複数光源１０６の光源は眼球に光を照射し、眼球からの反射光を撮像手段１０７が撮像し、撮像データ１０８を出力する。瞳孔径算出手段１１０１は既知の画像処理技術により瞳孔径を算出し、瞳孔径比較手段１１０２に出力する。瞳孔径比較手段１１０２は、ユーザーの希望する瞳孔径と瞳孔径算出手段１１０１が出力した瞳孔径の差分（以下、瞳孔径差分と称す）を出力する。フィードバック光源電流設定手段１１０３は、瞳孔径差分に応じて、瞳孔径差分が任意の閾値以下となるように光源の電流値を選択し、光源電流制御手段１０４に出力する。
【０００７】
以上のようなフィードバック制御を用いて、複数光源１０６が光源ａ、光源ｂ、光源ｃの３つの光源を備えているとすると、まず光源ａにおいて瞳孔径差分が閾値以下となるようにフィードバック制御を行い、閾値以下となると撮像手段１０７は撮像した撮像データ１０８を虹彩部抽出手段１０９に出力する。以降光源ａと同様に光源ｂ、光源ｃにおいても光源切替手段１０５が光源を切り替える度にフィードバック制御を行う。
【０００８】
次に、虹彩部抽出手段１０９は撮像データ１０８から虹彩部分を抽出し、虹彩部分撮像データ１１０を出力する。特徴量算出手段１１１は虹彩部分撮像データ１１０から各光源照射時における生体特徴量を算出し、血糖値算出手段１１２に出力する。血糖値算出手段１１２は予め血糖値相関テーブル１１３に用意した血糖値と生体特徴量の相関表から血糖値を算出する。なお、特徴量算出手段１１１における生体特徴量算出および血糖値相関テーブル１１３の作成方法の詳細は、特許文献１に記載されている。
【特許文献１】特表２００３−５２４１５３号公報
【特許文献２】特開平５−１７６９１７号公報
【発明の開示】
【発明が解決しようとする課題】
【０００９】
しかしながら、眼球に順次照射する光の波長帯域を切り替えて測定する際に、従来の瞳孔径を一定にする技術であるフィードバック制御を用いると、順次照射する光の波長帯域を切り替える度にフィードバック制御を行って瞳孔径を一定にするため、非常に時間がかかっていた。測定時間が長くなると、眼球の位置や焦点位置や視線方向のずれなどが生じやすくなってしまう。
【００１０】
従って、本発明は眼球に波長帯域の異なる光を順次切り替えて照射する場合においても時間をかけずに瞳孔径を一定に保つ眼球観察装置を提供することを目的とする。
【課題を解決するための手段】
【００１１】
前記従来の課題を解決するために、本発明の眼球観察装置、眼球に対して互いに異なる発光波長帯域の可視光を順次照射し、そのときの眼球を観察する眼球観察装置であって、眼球に対して互いに異なる発光波長帯域の可視光を照射する複数の光源と、前記光源の点灯及び消灯を制御し、順次前記光源の照射を切り替える光源切替手段と、前記光源各々を駆動する電流を制御する光源電流制御手段と、前記光源切替手段が点灯中の前記光源を他の光源に切り替えた際に瞳孔径が一定となる前記他の光源の電流値を、前記光源電流制御手段に出力する瞳孔径調節 手段と、を備えたことを特徴としたものである。
【００１２】
さらに眼球観察装置において、前記瞳孔径調節 手段は、前記各々の光源の照射光による眼球の前面位置における照度と電流値の関係を予め記憶しておく光源テーブルと、照度が一定となる各前記光源の電流値を前記光源テーブルに基づき選択し、前記光源電流制御手段に出力する光源電流設定手段と、を備えたことを特徴としたものである。
【００１３】
さらに眼球観察装置において、眼球を撮像し、撮像で得た撮像データを出力する撮像手段と、前記撮像データから瞳孔径を算出する瞳孔径算出手段と、所望の瞳孔径と前記瞳孔径算出手段が算出する瞳孔径の差分を出力する瞳孔径比較手段と、前記瞳孔径比較手段の出力が所望の値となるように電流値を前記光源電流制御手段に出力し、前記瞳孔径比較手段の出力が前記所望の値になるとその時点の前記光源電流制御手段に出力した電流値を出力するフィードバック光源電流設定手段と、前記所望の値になった時点で前記フィードバック光源電流設定手段が出力した電流値に対応する照度を、前記光源テーブルから選択し、前記光源電流設定手段に出力する電流照度変換手段と、を更に備え、前記電流照度変換手段が照度を前記光源電流制御手段に出力した後に、前記光源切替手段が前記光源を順次切り替えて、眼球を観察することを特徴としたものである。
【００１４】
さらに眼球観察装置において、前記光源電流設定手段は、前記光源テーブルから瞳孔径の縮小が飽和する照度以上の照度に対応する電流値を選択し、前記光源電流制御手段に出力することを特徴としたものである。
【００１５】
さらに眼球観察装置において、眼球を撮像し、撮像で得た撮像データを出力する撮像手段と、前記撮像データから瞳孔径を算出する瞳孔径算出手段と、前記光源を駆動する互いに異なる大きさの電流値を順次出力するキャリブレーション光源電流設定手段と、を更に備え、前記瞳孔径調節 手段は、前記瞳孔径算出手段が算出した瞳孔径と、前記キャリブレーション光源電流制御手段が前記光源電流制御手段に出力した前記光源の電流値を対応付けて記憶するキャリブレーションテーブルと、任意の瞳孔径に対する各前記光源の電流値を前記キャリブレーションテーブルに基づき選択し、前記光源電流制御手段に出力する光源電流設定手段と、を備え、予め被験者ごとに前記キャリブレーションテーブルを作成した後、前記光源切替手段が前記光源を順次切り替えたときに、特定の大きさの瞳孔径となる電流値を、各々の光源について選択して照射を行って眼球を観察すること、を特徴としたものである。
【００１６】
さらに眼球観察装置において、所望の瞳孔径と前記瞳孔径算出手段が算出する瞳孔径の差分を出力する瞳孔径比較手段と、前記瞳孔径比較手段の出力が所望の値となるように電流値を前記光源電流制御手段に出力し、前記瞳孔径比較手段の出力が所望の値になるとその時点の前記光源電流制御手段に出力した電流値を出力するフィードバック光源電流設定手段と、前記所望の値になった時点で前記フィードバック光源電流設定手段が出力した電流値に対応する瞳孔径を前記キャリブレーションテーブルから選択し、前記光源電流設定手段に出力する電流瞳孔径変換手段と、を更に備え、前記電流瞳孔径変換手段が瞳孔径を前記光源電流制御手段に出力した後に、前記光源切替手段が前記光源を順次切り替えて、眼球を観察することを特徴としたものである。
【００１７】
さらに眼球観察装置において、前記キャリブレーションテーブルから瞳孔径の縮小が飽和する瞳孔径を算出し、前記光源電流設定手段に出力する飽和瞳孔径算出手段と、を更に備え、前記光源電流設定手段は、前記飽和瞳孔径算出手段が出力した瞳孔径以下の任意の瞳孔径に対する各前記光源の電流値を前記キャリブレーションテーブルに基づき選択し、前記光源電流制御手段に出力すること、を特徴としたものである。
【００１８】
さらに眼球観察装置において、前記光源切替手段は、前記光源電流設定手段が電流値を前記光源電流制御手段に出力した後に、前記光源の何れかを点灯しておき、その後前記光源を順次切り替えて、そのときの眼球を観察することを特徴としたものである。
【００１９】
さらに眼球観察装置において、眼球に対して互いに異なる発光波長帯域の不可視光を照射する１つ以上の不可視光源と、前記不可視光源各々の電流を制御する不可視光源電流制御手段と、前記不可視光源電流制御手段に任意の電流値を出力する不可視光源電流設定手段と、を更に備え、前記光源切替手段は、前記光源および前記不可視光源の点灯及び消灯を制御するとともに、前記光源を順次点灯した後に前記不可視光源を点灯することを特徴としたものである。
【００２０】
さらに眼球観察装置において、前記光源切替手段は、前記光源を順次点灯した後、瞳孔の対光反射の潜時以内に、前記不可視光源を順次点灯し終えて、眼球の観察を終えることを特徴としたものである。
【００２１】
さらに眼球観察装置において、前記光源切替手段は、前記光源を順次点灯した後、２００ミリ秒以内に、前記不可視光源を順次点灯し終えて、眼球の観察を終えることを特徴としたものである。
【００２２】
さらに眼球観察装置において、前記光源切替手段は前記光源の内何れか１つのみ点灯することを特徴としたものである。
【００２３】
さらに眼球観察装置において、前記光源切替手段は、眼球を観察するための前記光源の切り替え時に全ての前記光源が消灯する時間（以下、切替消灯時間と称す）を眼球がちらつきを感じない時間以下にすること、を特徴としたものである。
【００２４】
さらに眼球観察装置において、前記切替消灯時間は、１７ミリ秒以下であることを特徴としたものである。
【発明の効果】
【００２５】
以上のように、本発明の眼球観察装置によれば、眼球に波長帯域の異なる光を順次切り替えて照射する場合においても時間をかけずに瞳孔径を一定に保つことができる。
【発明を実施するための最良の形態】
【００２６】
以下に、本発明の眼球観察装置の実施の形態を図面とともに詳細に説明する。
【実施例１】
【００２７】
以下に、本発明の請求項１及び請求項２及び請求項４及び請求項８及び請求項１２及び請求項１３及び請求項１４に記載された発明の実施の形態について、図１から図９を用いて説明する。
【００２８】
図１は、本発明の実施例１における眼球観察装置のブロック図である。図１において、図２０の従来の眼球観察装置と異なる点は、瞳孔径算出手段１１０１と瞳孔径比較手段１１０２とフィードバック光源電流設定手段１１０３を備えず、瞳孔径調節手段１０１を更に備えた点であり、同じ点は同じ符号を記しており、説明を省略する場合もある。
【００２９】
複数光源１０６は異なる発光波長帯域の光源を複数備える。例えば、複数光源１０６は図２に示すような発光波長帯域２０１ａ、発光波長帯域２０１ｂ、発光波長帯域２０１ｃをそれぞれ持つ光源ａ、光源ｂ、光源ｃを備え、これらの光源が１つのパッケージに収められており、光源を点灯すると被検者の眼球に対して光を照射するよう配置している。
【００３０】
光源電流制御手段１０４は、瞳孔径調節手段１０１からの出力に基づき各光源の電流を制御する。光源電流制御手段１０４ａ、光源電流制御手段１０４ｂ、光源電流制御手段１０４ｃはそれぞれ光源ａ、光源ｂ、光源ｃの電流を制御する。
【００３１】
光源切替手段１０５は、各光源の点灯及び消灯を制御し、眼球に照射する光を切り替える。虹彩部抽出手段１０９は撮像データ１０８から既知の抽出技術で虹彩部分を抜き出す。具体的な例を図３（Ａ）および図３（Ｂ）を用いて以下に説明する。
【００３２】
図３（Ａ）は眼球を撮像手段１０７で撮像した撮像データ１０８である。この撮像データ１０８からＸの線上の輝度データをプロットしたものが図３（Ｂ）である。このように眼球の撮像データ１０８は強膜、虹彩、瞳孔の順に輝度が低くなる。Ｚ１及びＺ１’は瞳孔と虹彩の境界、Ｚ２及びＺ２’は虹彩と強膜の境界である。ここで、輝度値ｂからａの間に閾値Ｓ１、輝度値ｃからｂの間に閾値Ｓ２を設定する。そして、撮像データ１０８の輝度値が閾値Ｓ２からＳ１のデータのみ抽出すると撮像データ１０８から虹彩部分を抽出した虹彩部分撮像データ１１０を得ることができる。
【００３３】
血糖値相関テーブル１１３は血糖値と各光源照射時の特徴量を予め記憶しておく。図４は血糖値相関テーブル１１３の例を示しており、相関曲線４０１ａ、相関曲線４０１ｂ、相関曲線４０１ｃはそれぞれ光源ａ、光源ｂ、光源ｃにおける血糖値と特徴量の相関曲線である。
【００３４】
血糖値算出手段１１２は、各光源照射時の特徴量と血糖値相関テーブル１１３から血糖値を算出する。図４の相関曲線４０１ａのように、１つの特徴量ｘに対して７３ｍｇ／ｄｌ及び１２５ｍｇ／ｄｌの２つの血糖値が導き出されることがある。この時、他の相関曲線４０１ｂの特徴量が特徴量ｙであれば７３ｍｇ／ｄｌを、特徴量ｚであれば１２５ｍｇ／ｄｌを選択する。また、相関曲線４０１ｂの区間ｎのように血糖値が変化しても特徴量の変化が小さい領域があるときは、他の相関曲線から算出した血糖値と平均をとっても良い。このように、複数の相関曲線から血糖値を算出することで血糖値の特定及び精度の向上が可能となる。
【００３５】
瞳孔径調節手段１０１は、眼球に照射する光の照度と各光源の電流値を記憶する光源テーブル１０２と、各光源が同一の照度となるように電流値を光源テーブル１０２から選択し、光源電流制御手段１０４に出力する光源電流設定手段１０３を備える。
【００３６】
光源テーブル１０２の作成方法を図５及び図６及び図７を用いて詳細に説明する。人間の眼は可視の範囲の電磁波であってエネルギーが等しくても、波長によって感じる明るさが異なる。それは眼の感度が波長によって変わるからである。そこで標準的な比視感度曲線（標準比視感度曲線）をＣＩＥ（Ｃｏｍｍｉｓｓｉｏｎ  Ｉｎｔｅｒｎａｔｉｏｎａｌｅ  ｄｅ  ｌ’Ｅｃｌａｉｒａｇｅ；国際照明委員会）で決め、それに基づき種々の測光量が定義づけられており、例えば光度や照度といったものがある。図５はＣＩＥの標準比視感度曲線を示している。図５のように人間は５５５ｎｍの波長の光を最も明るく感じ、５５５ｎｍから離れるにしたがって明るさを感じにくくなる。
【００３７】
一方、瞳孔径は人間の感じる明るさによって変化する。従って、光源を切り替えた時においても瞳孔径が一定になるようにするためには、光源を切り替えても人間の感じる明るさが変化しないように各光源の電流を制御すればよい。ここで、上述した標準比視感度曲線を考慮した測光量に照度があり、眼球への照度が一定であるときは、人間は一定の明るさであると感じ、瞳孔径を一定にすることができる。
【００３８】
一方、光源の明るさは仕様書などでしばしば光度と呼ばれる測光量で表されている。光源から眼球までＬ［ｍ］離れている時、光源の光度ＩＶ［ｃｄ］とすると眼球の照度Ｅ［ｌｘ］は次式で表される。
【００３９】
【数１】
2006223516.tif 000003
仕様書に示されている各光源の電流に対する光度から、（数１）を用いて図６のような各光源の電流に対する照度のテーブルを作成し、光源テーブル１０２に記憶する。なお、光源テーブル１０２は、眼球を測定する前に予め作成しておく。
【００４０】
また、光源は個体差があるため仕様書通りの光度の光を発しないことがある。そのため、各光源の光度や照度を光度計や照度計等の測定器で測定し、光源テーブル１０２を作成しても良い。
【００４１】
光源電流設定手段１０３は、図６の光源テーブル１０２より各光源の照度が一定となるように電流値を選択する。例えば、照度を１００［ｌｘ］とすると、光源ａ、光源ｂ、光源ｃの電流値はそれぞれ１４．７［ｍＡ］、２．７［ｍＡ］、９．１［ｍＡ］を選択する。そして、選択した電流値を光源電流制御手段１０４に出力する。
【００４２】
次に、本実施例における動作を説明する。まず、ユーザーは眼球を測定する前に上述の方法で光源テーブル１０２を作成する。次に、ユーザーは各光源の最大定格電流時の照度の中で最も小さい照度（以下、最小照度と称す）以下の照度から眼球に照射する光の照度（以下、照射光照度と称す）を選択する。図６において、全ての光源の最大定格電流が３０［ｍＡ］であったとすると、最大定格電流時の照度が光源ａでは１６５［ｌｘ］、光源ｂでは８２５［ｌｘ］、光源ｃでは３６０［ｌｘ］となる。この中で最小の照度は光源ａの１６５［ｌｘ］であり、１６５［ｌｘ］が最小照度となる。ユーザーは最小照度である１６５［ｌｘ］以下の照度を照射光照度として選択する。ここでは、照射光照度に１００［ｌｘ］を選択したとする。
【００４３】
次に、光源電流設定手段１０３は、光源テーブル１０２からユーザーの選択した照射光照度に基づいて各光源の電流値を選択し、光源電流制御手段１０４に出力する。図６において、照射光照度の１００［ｌｘ］における各光源の電流値は、光源ａでは１４．７［ｍＡ］、光源ｂでは２．７［ｍＡ］、光源ｃでは９．１［ｍＡ］である。
【００４４】
次に、光源電流制御手段１０４は、各光源の電流値を光源電流設定手段１０３が出力した値に制御する。
【００４５】
次に、複数光源１０６を点灯し眼球の撮像を行う撮像期間に移る。図７は光源切替手段１０５が各光源を切り替えるタイムチャートの一例を示している。図７のように光源切替手段１０５は、光源ａ、光源ｂ、光源ｃの順にそれぞれ、Ｔ１からＴ２、Ｔ３からＴ４、Ｔ５からＴ６の間、点灯する。好ましくは、撮像期間内において光源は点灯中の光源を１つのみとする。なぜなら、もし光源を２つ以上同時に点灯すると眼球の照度が変化し、瞳孔径が変化してしまうからである。また、図７におけるＴ２からＴ３及びＴ４からＴ５の時間のように全ての光源が消灯する時間（以下、切替消灯時間と称す）は、人間がちらつきを感じない時間以下とする。一般的に人間は、６０Ｈｚ以上で点滅する光であればちらつきを感じなくなる。したがって、切替消灯時間は、好ましくは、１７ミリ秒以下とする。
【００４６】
また、人間は一般的に眼球に光を照射すると対光反射により、瞳孔径が図８のような振る舞いをする。時間０に眼球に対して光を照射すると、瞳孔が縮小の動作を開始するＴＡまでの潜時と呼ばれる時間は約０．２〜０．５秒あり、ＴＡから瞳孔径が極小に達するＴＢまでの時間は０．３〜２秒である。ここで、もし図７のようなタイミングで光源の光を照射すると、Ｔ１の直後に図８のように瞳孔径が変動してしまうことになる。これを解決するために、図９に示すように撮像期間に入るＴ１より前に複数光源１０６の内何れか１つの光源を予め点灯しておく。図９では、光源ａを予め点灯し、Ｔ０からＴ１までの時間は、図８において瞳孔径が極小に達するＴＢまでの時間以上とし、好ましくは、２秒以上とする。
【００４７】
次に、撮像手段１０７は、各光源がそれぞれ点灯した時、眼球を撮像し、撮像データ１０８を生成する。ここでは、光源ａ、光源ｂ、光源ｃに対してそれぞれ撮像データａ、撮像データｂ、撮像データｃを生成し、撮像期間を終える。
【００４８】
撮像期間を終えると次に虹彩部抽出手段１０９は、撮像データａ、撮像データｂ、撮像データｃからそれぞれ虹彩部分を抽出し、虹彩部分撮像データａ、虹彩部分撮像データｂ、虹彩部分撮像データｃを生成する。
【００４９】
特徴量算出手段１１１は、虹彩部分撮像データａ、虹彩部分撮像データｂ、虹彩部分撮像データｃから特徴量ａ、特徴量ｂ、特徴量ｃを算出する。
血糖値算出手段１１２は、特徴量ａ、特徴量ｂ、特徴量ｃと血糖値相関テーブル１１３から血糖値を算出する。
【００５０】
以上のように、発光波長帯域の異なる複数の光源の照射光を眼球に照射するとき、眼球への照度が一定となるように光源を駆動する電流値を設定することにより、点灯する光源を切り替えても瞳孔径を一定にすることができ、従来のフィードバック制御のように光源を切り替える度に何度も撮像を行う必要がないため時間を短縮することができる。
【００５１】
また、光源電流設定手段１０３は、瞳孔径が飽和する照度以上の照度における各光源の電流値を選択し、出力しても良い。本実施例において照度に対する瞳孔径は図１０のように変化する。ここで、飽和とは図１０におけるグラフの傾きがある閾値以上であることを言う。傾きが小さい場合は、電流の変動や温度の変動による光源の照度の変動が瞳孔径の変動に大きく影響してしまう。一方、傾きが大きい場合は、光源の照度が変動したとしても瞳孔径の変動は小さくて済む。言い換えると、傾きが大きい場合は光源の電流等の精度が低くても良く、容易に電流制御ができる。また、傾きの閾値は装置の求められる瞳孔径の精度及び光源の電流や温度の変動による照度の変動の大きさ等によって異なるが、本実施例においては傾きが−０．００５以上であればよく、照度が１５２［ｌｘ］以上の時である。
【００５２】
以上のように、光源電流設定手段１０３が瞳孔径の飽和する照度以上の照度における各光源の電流値を選択して出力することにより、より瞳孔径の変動を小さくすることができる。
【実施例２】
【００５３】
以下に、本発明の請求項３に記載された発明の実施の形態について、図１１を用いて説明する。
【００５４】
図１１は、本発明の実施例２における眼球観察装置のブロック図である。実施例１と異なるところは、瞳孔径算出手段１１０１と瞳孔径比較手段１１０２とフィードバック光源電流設定手段１１０３と電流照度変換手段１１０４を更に備え、撮像期間より前にフィードバック制御によりユーザーの希望する瞳孔径に調節しておき、その後実施例１と同様に撮像を行う点である。
【００５５】
瞳孔径はその時の被検者の状態によっても変化し、例えば感情が興奮したり、思考したりした筋肉運動を行う場合にも変化することが知られている。そこで、フィードバック制御を撮像期間の前に行うことにより、ユーザーの希望する瞳孔径に合わせることができ、また、被検者の状態が変化しても前回の測定時と同じ瞳孔径で測定することができる。
【００５６】
図１１において、瞳孔径算出手段１１０１は、撮像手段１０７が出力した撮像データ１０８の瞳孔径を算出する。瞳孔径は既知の画像処理技術で算出可能であり、例えば、図３においてＳ２を閾値として２値化を行う。すると、瞳孔部分が輝度値０でそれ以外は例えば輝度値２５５のようになる。そして、この輝度値０の面積を求めるとそれが瞳孔部分の面積となり、面積から瞳孔径を算出することができる。
【００５７】
瞳孔径比較手段１１０２は瞳孔径算出手段１１０１が出力した瞳孔径とユーザーが希望する瞳孔径を比較し、その差分（以下、瞳孔径差分と称す）を出力する。
【００５８】
フィードバック光源電流設定手段１１０３は、瞳孔径比較手段１１０２の出力した瞳孔径差分が任意の閾値以下となるように出力する光源電流制御手段１０４の電流値を決定する。例えば、既知のフィードバック制御技術に入力に対して出力が比例する比例動作と入力の単位時間当たり積分値を０にするように働く積分動作を組み合わせた比例・積分動作（以下、ＰＩ動作と称す）があり、ここでは入力が瞳孔径差分で出力が光源の電流値である。このようにして瞳孔径差分が任意の閾値以下となると、その時点の光源の電流値を電流照度変換手段１１０４に出力する。
【００５９】
電流照度変換手段１１０４は、光源テーブル１０２からフィードバック光源電流設定手段１１０３が出力した電流値に対する照度を求め、光源電流設定手段１０３に照度を出力する。
【００６０】
光源電流設定手段１０３は、光源テーブル１０２から電流照度変換手段１１０４の出力した照度に対する各光源の電流値を選択し、光源電流制御手段１０４に出力する。
【００６１】
次に、本実施例における動作について説明する。まず、実施例１と同様にユーザーは眼球を測定する前に光源テーブル１０２を作成する。次に、瞳孔径をユーザーの希望する瞳孔径に制御するフィードバック制御期間に入る。フィードバック制御期間に点灯する光源は何れでもよいが、例えばここでは光源ａを点灯する。
【００６２】
まず、フィードバック光源電流設定手段１１０３は光源ａの任意の電流値を光源電流制御手段１０４ａに出力する。光源電流制御手段１０４ａは、フィードバック光源電流設定手段１１０３が出力した電流値に制御し、光源切替手段１０５は光源ａを点灯する。撮像手段１０７はその時の眼球を撮像し、撮像データ１０８を出力する。
【００６３】
次に、瞳孔径算出手段１１０１は、撮像データ１０８から瞳孔径を算出し、瞳孔径差分を求め、出力する。
【００６４】
フィードバック光源電流設定手段１１０３は、瞳孔径差分が閾値以上であれば、光源ａの電流値を算出して出力し、閾値以下になるまで以上の動作を繰り返す。閾値以下であれば、フィードバック制御期間を終了し、その時の電流値を電流照度変換手段１１０４に出力する。電流照度変換手段１１０４は、電流値を照度に変換し光源電流設定手段１０３に出力する。以降の動作は、撮像期間に入り、実施例１と同様である。
【００６５】
以上のように、撮像期間より前のフィードバック制御期間にフィードバック制御を行うことにより、ユーザーの希望する瞳孔径に合わせることができ、また、被検者の状態が変化しても前回の測定時と同じ瞳孔径で測定することができる。
【実施例３】
【００６６】
以下に、本発明の請求項５に記載された発明の実施の形態について、図１２及び図１３を用いて説明する。
【００６７】
人間の眼は、形も大きさも光への反応も人それぞれであり、瞳孔径の振る舞いも人それぞれである。例えば、図５に示した比視感度曲線は、人間の標準的な曲線を示したものであり、人によって曲線にばらつきがある。従って、実施例１のように標準比視感度曲線を用いて光源の電流値を算出した場合、標準比視感度曲線と被験者の比視感度曲線の違いによって、瞳孔径を一定にできない場合がある。
【００６８】
一方、光源の光度においても、一般に仕様書に書かれている光度は標準的な光度であって、実際には個体差がある。従って、光源の光度の個体差によっても瞳孔径がばらついてしまう場合がある。
【００６９】
このような問題を解決するために本実施例３では、実施例１の光源テーブル１０２のように照度と光源の電流のテーブルではなく瞳孔径と光源の電流のテーブルを用いる。
図１２は、本発明の実施例３における眼球観察装置のブロック図である。実施例１と異なるところは、瞳孔径算出手段１１０１とキャリブレーション光源電流設定手段１２０３を更に備え、図１の光源テーブル１０２がキャリブレーションテーブル１２０２に置き換わった点である。瞳孔径算出手段１１０１は、実施例２と同じである。
【００７０】
キャリブレーション光源電流設定手段１２０３は、キャリブレーションテーブル１２０２を作成する時に光源の電流値を光源電流制御手段１０４とキャリブレーションテーブル１２０２に出力する。キャリブレーションテーブル１２０２は、予め各光源を駆動する電流値とその時の瞳孔径を測定し、記憶しておく。以下にキャリブレーションテーブル１２０２の作成方法を示す。
【００７１】
まず、キャリブレーション光源電流設定手段１２０３は、例えば光源ａの電流値を２［ｍＡ］とし、光源電流制御手段１０４ａへ出力する。光源電流制御手段１０４ａは電流値を２［ｍＡ］に制御し、光源切替手段１０５は光源ａを点灯する。撮像手段１０７は、眼球を撮像し、瞳孔径算出手段１１０１は撮像データ１０８から瞳孔径を算出しキャリブレーションテーブル１２０２に出力する。キャリブレーションテーブル１２０２はキャリブレーション光源電流設定手段１２０３が出力した電流値と瞳孔径算出手段１１０１が出力した瞳孔径を対応づけて記憶しておく。
【００７２】
キャリブレーション光源電流設定手段１２０３は以上の動作を例えば電流値を０［ｍＡ］から最大定格電流値まで２［ｍＡ］ずつ増加させながら行う。また、他の光源ｂと光源ｃについても同様に行う。このようにすると、図１３に示すキャリブレーションテーブル１２０２を作成することができる。
【００７３】
光源電流設定手段１２０１は、キャリブレーションテーブル１２０２からユーザーが希望する瞳孔径に対応する各光源の電流値を選択し、光源電流制御手段１０４に出力する。
次に、本実施例における動作について説明する。まず、上述したようにキャリブレーションテーブル１２０２を作成する。次にユーザーは、すべての光源において調節可能な瞳孔径から、図１３においては光源ａの最大定格電流の３０［ｍＡ］における瞳孔径３．６［ｍｍ］から最大の瞳孔径６．７［ｍｍ］までのなかから、希望する瞳孔径を選択する。ここでは、４．０［ｍｍ］を選択したとすると、光源電流設定手段１２０１は、キャリブレーションテーブル１２０２から瞳孔径４．０［ｍｍ］に対応する各光源の電流値を選択する。図１３においては瞳孔径４．０［ｍｍ］に対応する電流値は、光源ａが２０．２［ｍＡ］、光源ｂが２．８［ｍＡ］、光源ｃが１１．８［ｍＡ］である。そして、これらの電流値を光源電流制御手段１０４に出力する。以降の動作は実施例１と同様である。
【００７４】
以上のように、予め各光源の電流に対する瞳孔径を測定し、キャリブレーションテーブル１２０２として記憶しておき、キャリブレーションテーブル１２０２に基づき、瞳孔径が等しくなるように各光源の電流値を設定することにより、瞳孔径の振る舞いの個人差に対応することができ、より精度よく瞳孔径を一定にすることができかつユーザーが希望する瞳孔径に調節することができる。
【実施例４】
【００７５】
以下に、本発明の請求項６に記載された発明の実施の形態について、図１４を用いて説明する。
【００７６】
図１４は、本発明の実施例４における眼球観察装置のブロック図である。実施例３と異なるところは、瞳孔径算出手段１１０１と瞳孔径比較手段１１０２とフィードバック光源電流設定手段１１０３と電流瞳孔径変換手段１４０１を更に備えた点であり、実施例２と実施例３を組み合わせたものである。瞳孔径算出手段１１０１と瞳孔径比較手段１１０２とフィードバック光源電流設定手段１１０３は実施例２と同様である。
【００７７】
電流瞳孔径変換手段１４０１は、キャリブレーションテーブル１２０２からフィードバック光源電流設定手段１１０３が出力した電流値に対応する瞳孔径を求め、光源電流設定手段１２０１に出力する。
【００７８】
次に、本実施例における動作について説明する。まず、実施例３と同様にしてキャリブレーションテーブル１２０２を作成する。
【００７９】
次に、フィードバック制御期間に入り実施例２と同様にフィードバック制御を行う。この時、ユーザーの希望する瞳孔径をＬｘ［ｍｍ］とする。
フィードバック制御期間が終了すると電流瞳孔径変換手段１４０１は、キャリブレーションテーブル１２０２からフィードバック光源電流設定手段１１０３が出力した電流値に対応する瞳孔径を求め、光源電流設定手段に１２０１出力する。この出力した瞳孔径をＬｙ［ｍｍ］とすると、ＬｘとＬｙは必ずしも一致しない。これは、瞳孔径がその時の被検者の状態によって変化し、例えば感情が興奮したり、思考したりした筋肉運動を行う場合にも変化するためである。従って、ＬｘとＬｙが一致しなくとも問題はなく、むしろその時の被検者の状態による瞳孔径の変動に対応することができる。次に撮像期間に入るが、以降の動作は実施例３と同様である。
【００８０】
以上のように、瞳孔径と光源の電流値を予め測定したキャリブレーションテーブル１２０２に加え、撮像期間の前にフィードバック制御を用いることにより、ユーザーが希望した瞳孔径に合わせることができ、かつ被検者の状態による瞳孔径の変動に対応することができる。
【実施例５】
【００８１】
以下に、本発明の請求項７に記載された発明の実施の形態について、図１５及び図１６を用いて説明する。図１５は、本発明の実施例５における眼球観察装置のブロック図である。実施例３と異なるところは、飽和瞳孔径算出手段１５０１を更に備えた点である。
【００８２】
飽和瞳孔径算出手段１５０１は、キャリブレーションテーブル１２０２から、瞳孔径の縮小が飽和したときの各光源における瞳孔径（以下、飽和瞳孔径と称す）を求める。以下に詳細を説明する。
【００８３】
人間の瞳孔径は一般に約２［ｍｍ］から８［ｍｍ］まで変化する。そして、光源の電流を上げていくと瞳孔径は縮小し、徐々に電流を上げた時の縮小幅が小さくなる。光源の光が実施例１よりも明るい時においては、例えばキャリブレーションテーブル１２０２は図１６のようになる場合がある。この時、飽和瞳孔径算出手段１５０１は、まず図１６のグラフを微分し傾きを求める。そして、傾きがある任意の閾値、例えば−０．１である飽和瞳孔径を算出し、それ以上を飽和領域とする。そして、飽和瞳孔径を光源電流設定手段１２０１に出力する。
【００８４】
次に、本実施例における動作について説明する。まず、実施例３と同様にしてキャリブレーションテーブル１２０２を作成する。キャリブレーションテーブル１２０２の作成が終了すると、飽和瞳孔径算出手段１５０１は、飽和瞳孔径を算出し、光源電流設定手段１２０１に出力する。次に光源電流設定手段１２０１は、各光源の飽和瞳孔径に対応する電流値（以下、飽和瞳孔電流値と称す）以上の電流値をキャリブレーションテーブル１２０２から選択し、光源電流制御手段１０４に出力する。図１６において飽和瞳孔電流値はそれぞれ光源ａが２０．３［ｍＡ］、光源ｂが８．８［ｍＡ］、光源ｃが１４．０［ｍＡ］となる。
【００８５】
次に撮像期間に入るが、以降の動作は実施例３と同様である。ここで、各光源を飽和瞳孔電流値から定格電流値まで変化させたときの瞳孔径は、光源ａが２．４１〜２．２２［ｍｍ］、光源ｂが２．４８〜２．２０［ｍｍ］、光源ｃが２．５２〜２．２５［ｍｍ］である。つまり、本実施例における変化しうる瞳孔径は、２．５２〜２．２０［ｍｍ］であり、撮像期間において０．３２［ｍｍ］ばらつく可能性がある。しかしながら、この０．３２［ｍｍ］のばらつきが許容範囲であり、血糖値の測定結果に影響しない場合においては、以上のようにすることで光源電流制御手段１０４は各光源が飽和瞳孔電流値以上の電流値であればよく、精度が低くてもよいため容易に瞳孔径を一定にすることができる。
【００８６】
また、図１６において傾きが大きい場合に比べて、小さい場合は光源の電流の変動による瞳孔径の変動へ影響が大きくなってしまう。従って、光源電流制御手段１０４は傾きの大きい領域の電流値を出力する。詳細は、飽和瞳孔径算出手段１５０１が各光源の飽和瞳孔径を算出し、その中で最小の飽和瞳孔径（以下、最小飽和瞳孔径と称す）を選択し、光源電流制御手段１０４に出力しても良い。そして、光源電流制御手段１０４は最小飽和瞳孔径以下の瞳孔径に対する各光源の電流値をキャリブレーションテーブル１２０２より選択して出力する。
【００８７】
以上のように、傾きの大きいところの瞳孔径で制御することにより、より瞳孔径を一定にすることができる。
【実施例６】
【００８８】
以下に、本発明の請求項９及び請求項１０及び請求項１１に記載された発明の実施の形態について、図１７及び図１８を用いて説明する。
【００８９】
実施例１ないし実施例５では、複数光源１０５は複数の可視光源を備える。しかし、特許文献１に記載されているように血糖値による生体特徴量の変化が可視光のみならず近赤外光においても観察されている。従って、近赤外光を用いて測定を行なうことがあり、複数光源１０５が近赤外光のような不可視光を備えた場合においても瞳孔径を一定に制御する必要がある。
【００９０】
図１７は、本発明の実施例６における眼球観察装置のブロック図である。実施例１と異なるところは、不可視光源電流設定手段１７０１と不可視光源電流制御手段１７０２を更に備える点である。
【００９１】
図１７において、複数光源１０６は実施例１と同様に光源ａと光源ｂと光源ｃを備え、更に不可視光の発光波長帯域を持つ不可視光源ａを備える。不可視光源電流設定手段１７０１は、ユーザーが任意に選択した不可視光源ａの最大定格電流値以下の電流値を不可視光源電流制御手段１７０２に出力する。不可視光源電流制御手段１７０２は不可視光源の電流を不可視光源電流設定手段１７０１が出力した電流値に制御する。なお、不可視光源電流制御手段１７０２ａは不可視光源ａの電流を制御する。光源切替手段１０５は、不可視光源も含めて光源の点灯及び消灯を制御する。
【００９２】
次に、本実施例における動作について説明する。まず、実施例１と同様に光源テーブル１０２を作成し、光源電流設定手段１０３はユーザーが選択した照度に対応する各光源の電流値を求め、光源電流制御手段１０４に出力する。
【００９３】
次に不可視光源電流設定手段１７０１は、不可視光源の電流値を不可視光源電流制御手段１７０２に出力する。光源電流制御手段１０４及び不可視光源電流制御手段１７０２は、各光源の電流を制御する。
【００９４】
次に撮像期間に移る。ところで眼球に対して光を照射した状態から照射を終了した時点からの瞳孔径の変化は、一般に図１８のようになる。時間０において照射を終了し、ＴＡまでは瞳孔径は変化せずＴＡから徐々に瞳孔径が大きくなり、ＴＢで極大となる。一般的にＴＡは約０．２〜０．５秒あり、この時間は潜時と呼ばれている。ＴＡからＴＢまでは約１２秒〜２分である。
【００９５】
光源切替手段１０５のタイムチャートを図１９に示す。図１９のように光源切替手段１０５は光源ａと光源ｂと光源ｃを実施例１と同様に切り替えて、撮像手段１０７は撮像する。そして、不可視光源は最後に点灯する。好ましくは、光源ｃが消灯したＴ６の後瞳孔径が変化する約０．２〜０．５秒の潜時の間に、光源切替手段１０５は不可視光源ａを点灯し、撮像手段１０７は撮像し終える。
【００９６】
このように、潜時に不可視光源を点灯して撮像し終えることで、可視光源点灯時と同じ瞳孔径で撮像することができる。また、不可視光源を点灯した後には瞳孔径は図１８のように変化し、再び可視光源を点灯するとさらに図８のように変化してしまう。仮に、光源の点灯順を可視光源ａ、不可視光源ａ、可視光源ｂ、可視光源ｃとする。すると、不可視光源ａを点灯した後に上述した瞳孔径の変化が起こり、可視光源ｂを点灯しても再び可視光源ａ点灯時の瞳孔径に戻るまでには時間がかかってしまう。従って、不可視光源は最後に点灯するのが好ましい。撮像期間を終了すると、その後は実施例１と同様である。
【００９７】
以上のように、不可視光源を最後に点灯し、好ましくは瞳孔径の拡大を始めるまでに点灯及び撮像を行うことにより、複数光源１０６が不可視光源を備える場合においても時間をかけずに瞳孔径を一定にすることができる。
【産業上の利用可能性】
【００９８】
本発明にかかる眼球観察装置は、眼球に対して互いに異なる発光波長帯域の光を順次照射する際に、時間をかけずに瞳孔径を一定にすることができるため、瞳孔径を一定にした眼球観察において有用である。
【図面の簡単な説明】
【００９９】
【図１】本発明の実施例１における眼球観察装置のブロック図
【図２】本発明の実施例１における複数光源１０６の各光源の発光波長スペクトルを示す図
【図３】本発明の実施例１における撮像データ１０８及び撮像データ１０８の断面図
【図４】本発明の実施例１における血糖値相関テーブル１１３を示す図
【図５】ＣＩＥの標準比視感度曲線を示す図
【図６】本発明の実施例１における光源テーブル１０２を示す図
【図７】本発明の実施例１における光源切替手段１０５が各光源を切り替えるタイムチャート
【図８】眼球に光を照射したときの瞳孔径の変化を示した図
【図９】本発明の実施例１における光源切替手段１０５が各光源を切り替えるタイムチャート
【図１０】本発明の実施例１における照度と瞳孔径の関係を示すグラフ
【図１１】本発明の実施例２における眼球観察装置のブロック図
【図１２】本発明の実施例３における眼球観察装置のブロック図
【図１３】本発明の実施例３におけるキャリブレーションテーブル１２０２を示す図
【図１４】本発明の実施例４における眼球観察装置のブロック図
【図１５】本発明の実施例５における眼球観察装置のブロック図
【図１６】本発明の実施例５におけるキャリブレーションテーブル１２０２を示す図
【図１７】本発明の実施例６における眼球観察装置のブロック図
【図１８】眼球への光の照射を終了してからの瞳孔径の変化を示した図
【図１９】本発明の実施例６における光源切替手段１０５が各光源を切り替えるタイムチャート
【図２０】従来の眼球観察装置のブロック図
【符号の説明】
【０１００】
１０１  瞳孔径調節手段
１０２  光源テーブル
１０３  光源電流設定手段
１０４  光源電流制御手段
１０４ａ  光源電流制御手段
１０４ｂ  光源電流制御手段
１０４ｃ  光源電流制御手段
１０５  光源切替手段
１０６  複数光源
１０７  撮像手段
１０８  撮像データ
１０９  虹彩部抽出手段
１１０  虹彩部分撮像データ
１１１  特徴量算出手段
１１２  血糖値算出手段
１１３  血糖値相関テーブル
２０１ａ  発光波長帯域
２０１ｂ  発光波長帯域
２０１ｃ  発光波長帯域
４０１ａ  相関曲線
４０１ｂ  相関曲線
４０１ｃ  相関曲線
１１０１  瞳孔径算出手段
１１０２  瞳孔径比較手段
１１０３  フィードバック光源電流設定手段
１１０４  電流照度変換手段
１２０１  光源電流設定手段
１２０２  キャリブレーションテーブル
１２０３  キャリブレーション光源電流設定手段
１４０１  電流瞳孔径変換手段
１５０１  飽和瞳孔径算出手段
１７０１  不可視光源電流設定手段
１７０２  不可視光源電流制御手段
１７０２ａ  不可視光源電流制御手段
【図１】
2006223516.tif 000004
【図２】
2006223516.tif 000005
【図３】
2006223516.tif 000006
【図４】
2006223516.tif 000007
【図５】
2006223516.tif 000008
【図６】
2006223516.tif 000009
【図７】
2006223516.tif 000010
【図８】
2006223516.tif 000011
【図９】
2006223516.tif 000012
【図１０】
2006223516.tif 000013
【図１１】
2006223516.tif 000014
【図１２】
2006223516.tif 000015
【図１３】
2006223516.tif 000016
【図１４】
2006223516.tif 000017
【図１５】
2006223516.tif 000018
【図１６】
2006223516.tif 000019
【図１７】
2006223516.tif 000020
【図１８】
2006223516.tif 000021
【図１９】
2006223516.tif 000022
【図２０】
2006223516.tif 000023